(57)【特許請求の範囲】
【請求項１】
滑り台の滑走路表面上において、平面上に凸の曲面状、凹の曲面状、凹凸の曲面状を、凹の曲面上に凸の曲面状、凹の曲面状、凹凸の曲面状を、更には、平面上、凹の曲面上以外に全面上が凹凸の曲面状を滑走斜面に設け、前記の凸の曲面状、凹の曲面状、凹凸の曲面状が規則的、又は不規則的で多彩な三次元構造の設備を有することを特徴とする立体滑り台。
【請求項２】
平面上に凸型の大小さまざまな各半周立体曲面状を滑走斜面上の両サイドに個々的、全体的に連続したもの、或いは、滑走斜面上の全体的に凸型、凹型の大小さまざまな各全周立体曲面状、又、凹の曲面上で滑走斜面上の全体的に多彩な凸の曲面状、凹凸の曲面状、更には、全面上の滑走斜面上が凹凸の曲面状である３つの滑走斜面上を構成して、各滑走斜面上が単独、又は混合したものを活用し、曲面状の段差型、階段型、ウエーブ型を含む、凸の曲面状、凹の曲面状、凹凸の曲面状を部分的、点在的、全体的、連続的に配置することで流動的な直滑降系、斜滑降系、上下動系、左右動系、ジャンプ系、ジグザグの回転系や合成された三次元動系の運動要素を有する複合機構のものを順序不同に設けることを特徴とする請求項１記載の立体滑り台。
【請求項３】
３つの滑走斜面上を単数の各個別、又は複数で並列別、分岐別、直列合成にして構築し、滑走路表面上は各種曲面状の滑走に適合した形状や大きさ、配置や構成と滑走路表面上全体には幅、長さ、厚さ、上部から下部に掛けての傾き、材質などの構造を可変させ、滑走路の難易度を調節する機能の運動要素がある機構のものを有し、各滑走路面上構造両サイド端部は安定した滑走ができる支持具、柵、壁を用い、滑走路裏面側には梁で支持、フレームカバーで支持、又はフレームカバーを梁で補強する組合せ構成にし、全体的に安全性を保持した構造物として設け、屋外用、屋内用の何れでも可能なことを特徴とする請求項１記載の立体滑り台。
【発明の詳細な説明】
【技術分野】
【０００１】  本発明は、運動器具で遊具の滑り台に関するものであり、滑り台特有の形状、構造、機能に工夫を加えることによって、各種の運動形態を創出して、多様な運動観点や運動感覚について体感し、運動、及び身体能力を高めるようにしたものである。
【背景技術】
【０００２】  従来、滑り台の遊具は、滑り台として一定で固定した概念、滑り台の滑走路、滑走体勢に変化がない遊具として利用しているのが現状であり、滑り台を別な運動遊びを各種の運動形態、運動能力や運動感覚として取り入れることは皆無であった。
【発明の開示】
【発明が解決しようとする課題】
【０００３】  しかし、従来のような滑り台の遊具では、形状、構造、機能などに大きな変化がなく、マンネリズムの傾向にあり、プレーヤーの運動への魅力や期待度の希薄、運動形態に対応する運動能力や運動感覚などのスキルアップやモチベーションの停滞、又、プレーヤーのチャレンジ的要素や満足度の低下に対する滑り台へのニーズが生じているのが現状である。本発明は、これらの不都合を解決することを課題とする。
【課題を解決するための手段】
【０００４】  この課題を解決するための請求項１の発明は、滑り台の滑走路面上において、平面状に凸の曲面状、凹の曲面状、凹凸の曲面状を凹の曲面上に凸の曲面状、凹の曲面状、凹凸の曲面状、更には、平面上、凹の面上以外に全面上が凸の曲面状、凹の曲面状、凹凸の曲面状などを斜面上に設け、前記の凸の曲面状、凹の曲面状、凹凸の曲面状が規則的、又は不規則的で多彩な三次元構造の曲面状で凹凸のものを複合構成した滑走路面上に設備することで、人的、物的運動エナージーの多様な運動形態の存在があるものを設け、運動エナージーには普遍で流動的な方向性があり、運動能力、身体能力を合理的に発掘させ、有用にサポートする立体滑り台である。【０００５】  又、請求項２の発明は、平面上に凸型の張り出た広さ、張り出た形状、周端の低さや中が出っ張っている高さ等の大小さまざまな各半周立体曲面状、４分の１、４分の３、３分の１、３分の２などの周立体曲面状を滑走斜面上の両サイドに個々的、全体的に連続したもの、或いは凸型、凹型の張り出た広さ、張り出た形状、周端の低さや中が出っ張っている高さ等の大小さまざまな各全周立体曲面状が整った正形状や整わない変形形状、又、凹の曲面上の滑走斜面全体を多彩な蛇行型に配置することで規則的、不規則的なジグザグの回転系滑走路ができ、平面上や凹の曲面上に凸の曲面状、凹の曲面状、凹凸の曲面状、又、全面上が凹凸の曲面状などの段差型、階段型、ウエーブ型にして、ジャンプや上下・前後・左右・回転系や合成された三次元動系の運動要素を有する複合機構のものを順序不同に設ける立体滑り台にする。【０００６】  又、請求項３の発明は、滑走路を単数の各個別、又は複数で並列別、分岐別、直列合成にして使用し、滑走路面上の平面上と曲面上において、規則的、又は不規則的で多彩な三次元構造の曲面状で凸型、凹型、凹凸型の形状のものを組み込み接合式、又はシームレス式に配置して融合した設備にし、組み込み接合式は複数の変化したものを取り換え構造にすることもでき、運動形態と運動環境により、滑走路の表面上の各種形状の配置や構成、幅、長さ、上部から下部に掛けての傾きなどの大きさを可変させ、滑走路の難易度、挑戦や快感の具合の調節機能も構成するものであり、流動的な運動要素がある機構の順序不同にものを構築し、滑り台の本体全部を含む、各滑走路面上構造両サイド端部は安定した滑走ができる支柱、支持具、柵、外壁などを用い、滑走路裏面側には梁で支持、又は滑走路表面上外の全周囲立体構造部をフレームカバーでの補強、組み合わせた構成にし、全体的に安全性を保持した構造物として設け、滑走路表面、及び全体はアルミ合金、ステンレス鋼板、各金属類、合成金属、プラスチック系の化学合成物、合成樹脂、木材加工、石材加工、岩石、陶器類、コンクリートなどの材料を駆使し、屋外用、屋内用の何れでも可能な各環境に適応した立体滑り台にする。
【発明の効果】
【０００７】  本発明により滑り台の滑走路表面上の各曲面状全体の範囲で、人的、及び物的運動エナージーが存在し、多様な運動形態があり、運動能力に応じた的確な運動の動作・確認・修正ができ、運動の技量向上とパワーアップ、リカバリー・対処能力の練習、トレーニングなどを確立し、幼児から一般プレーヤーまでが運動を楽しんで向上できるオールラウンドのものである。【０００８】  運動形態が直滑降系、斜滑降系、上下動系、左右動系、ジャンプ系、ジグザグの回転系や合成された三次元動系の運動要素などの三次元方向でのバランス感覚、アンバランス感覚の二極化が瞬時的、時限的、従属的に生起された普遍で流動的な方向性のものがあり、運動能力、身体能力を合理的に発掘させ、特に、バランス感覚、体幹強化に有用である。【０００９】  プレーヤーの技術レベルにより、適合した滑走路表面上の各曲面状を有したものが選定でき、運動へのモチベーションも高まり、快適な緊張感の中で各種の運動形態に挑戦でき、持続性がある高機能のマテリアルを提供できる。【００１０】  性能効果が大きく奥深い構成要素を備えているので、本質的には、滑走路表面上の各種曲面状全体の範囲で、多様な運動形態をダイレクトに体感でき、適応する運動スキルに合った運動レベルの練習ができるものであり、対応能力を効果的に習得することができ、運動形態が多様な組み合わせ構造に構成することから、自由な形、パフォーマンスができ、初心者からエキスパートを対象とした活用方法や運動学習が可能である。【００１１】  従来の滑り台の滑走路ではない、多様な運動要素が即時的に変化し、リアリティーでタイムリーな各種運動系を体感するとともに、各運動形態の学習、練習、トレーニング、遊技を高いモチベーションと持続性が可能である。【００１２】  滑走路の全体の範囲で各運動要素があり、対応できる運動技術能力の発掘が可能であることから運動能力である運動動作のタイミング、バランス、リズムなどが体感でき、高いスキルのレベルアップでの戦いができ、身体能力の向上に効果的な威力を発揮できる。【００１３】  本発明により、自主的、主体的運動学習の活性化が図れ、他者に関係なくマイペースメニューで運動が可能であり、運動の力量、質ともに格段充実したものになり、各種運動パターンを習慣的に繰り返し練習することで、運動技術を習得し、運動能力を高める満足ある運動体制が確立できる。【００１４】  本発明の立体構造物の抵抗体は、運動の形態、能力、感覚により、運動の学習内容、課題や技術技能の達成レベルなどを各自に適合した運動調整が選択でき、自由な形でパフォーマンスができるため、初心者からエキスパートまでの全階級を対象とした主体的運動学習を効率的に成し遂げることが可能であり、それぞれの幅広い利用ができる奥深いマテリアルを提供できる。【００１５】  利用者が適した運動負荷、運動環境を自然的に選べることから、運動をするのに支障がなく、一般の健全者は勿論のこと、障害者、幼児、高齢者などの運動の向上、強化や体力と健康の維持、傷害者のリハビリテーションなどを目的とした活用、リラクセーション、ストレス解消にも有用で楽しめる。【００１６】  自発的な運動欲求において、運動の技術課題や運動の挑戦���象を自主的、主体的に躍動感、達成感、迫力に富んだ緊張感の中で闘争心、持続性を保って運動をすることができる。【００１７】  運動の学習内容、課題、修正や技術レベルなどの目標を達成するための方向性を見るのに、立体構造物を利用することが大きな指標となり、自己の運動能力の実態を事前、実施過程、終了時に評価することによって、運動を喚起し、意欲化、動機づけの強化が図られる。【００１８】  本発明は、滑走が円滑、アグレッシブ、エキサイティングなどの運動動作で自由自在に展開して、身体能力、バランス感覚、体幹強化の向上をするもので斜面構造や斜面構成に対する滑走、挑戦、技術技量向上などの運動形態への意識改革ができ、運動環境が屋外用、屋内用の何れでも使用用途が広く屋内外で手軽に適用でき、各運動形態が普遍的に存在するものである。
【発明を実施するための最良の形態】
【００１９】  図１は、滑走路表面上が平面上の正面図・側面図・斜視図の概略図例であり、滑走路平面上１Ａの傾斜面に各種の曲面状１Ｆから１Ｊのものを設備配置することで、滑走が円滑、アグレッシブ、エキサイティングなどの運動動作で自由自在に展開して、身体能力、バランス感覚、体幹強化の向上をするもので斜面構造や斜面構成に対する滑走、挑戦、技術技量向上などの運動形態への意識改革ができる運動要素、運動環境のものを提供し、滑り台の本体全部を含む、各滑走路面上構造両サイド端部は安定した滑走ができる支柱、支持具、柵、外壁などを用い、滑走路裏面側には梁で支持、又は滑走路表面上外の全周囲立体構造部をフレームカバーでの補強、組み合わせた構成、全体的に安全性を保持した構造物として設け、本発明で示した以外のその他の構成、構造を用いることもでき、この限りではない。【００２０】  図２は、滑走路表面上が平面上・各曲面上に各曲面状配置の概略正面図例であり、２１、２２は滑走路表面上が平面上と２３の滑走路表面上が凹型曲面上には規則的、又は不規則的で多彩な三次元構造の各凹凸型曲面状のもの、２４には滑走路表面上全体が凹凸曲面状曲面上の立体的な設備配置し、運動能力に適合した２Ａから２Ｉの各曲面状の配合調整をして各立体滑り台にする。【００２１】  図３は、各滑走路表面上に設備配置される各曲面状の概略図例で、図面上で３ｉは滑走路表面上が凹型曲面上の曲り角度によって、整合性ある調整が必要であり、３７の変形凸型曲面状は左右の曲り変化に、上下の凸型曲面状のデコボコ（大、中、小）を有したものであり、各滑走路表面上に３１から３９の各曲面状ものを設備配置されるが、その他で大きさ、配置、組合せ、仕様等を多様に工夫して使用することで、この限りではないものになる。【００２２】  図４は、各滑走路表面上に各曲面状の取付機構を正面図・断面図の概略例で、４ｅは滑走路表面上が凹型曲面上の曲り角度によって、整合性ある調整が必要であり、４Ｅの各凹凸曲面状の接合端部は組み込み接合式、或いはシームレス式に配置して融合した設備、加工にし、組み込み接合式は複数の変化したものを取り換え構造にすることも可能であり、又、組み込み接合式は各凹凸曲面状の接合端部の隙間、段差を最小限にして、安定、安全で快適な滑走ができる構造形態の安全性、運動環境の立体滑り台を構築するものである。【００２３】  図５は、立体滑り台の各滑走路表面上の各使用用途の概略図例で、５１は３つの滑走斜面上を単数の各個別、５２は複数で各並列別、５３は各分岐別、５５は５Ｊ、５Ｋ、５Ｌを直列合成、５Ｍの滑走面上と曲面上の合成部は隙間、段差などを最小に抑えるように構築し、滑走路表面上は各種曲面状の形状の大きさ、配置や構成と滑走路表面上全体には幅、長さ、厚さ、５４は上部から下部に掛けて５Ｈの傾き部、５Ｉの滑走路裏面側の梁、材質などの構造を可変させ、総合的に滑走路の難易度を調節する機能の運動要素がある機構のものを選択して各プレーヤーに適合したものが利用できる各立体滑り台にする。【００２４】  本発明は、運動用具として特化しているだけなく玩具類的要素、その他にも応用して利用でき、図１から図５は立体構造物の概略図例であり、本発明の特許請求の範囲を満足することできれば、この限りではない。
【産業上の利用可能性】
【００２５】  本発明に係る立体滑り台は、工業的に量産する事が可能であるため、産業上の利用可能性を有する。
【図面の簡単な説明】
【００２６】
【図１】  滑走路表面上が平面上の正面図・側面図・斜視図の概略図例
【図２】  滑走路表面上が平面上・各曲面上に各曲面状配置の概略正面図例
【図３】  各滑走路表面上に設備配置される各曲面状の概略図例
【図４】  各滑走路表面上に各曲面状の配置機構を正面図・断面図の概略例
【図５】  立体滑り台の各滑走路表面上の各使用用途の概略図例
【符号の説明】
【００２７】図中の文字、数字は次の通りである。
１１  ：滑走路平面上の正面図            １２  ：左側面図（但し左側半分の範囲）
１３  ：右側面図（但し右側半分の範囲）  １４  ：斜視図
１Ａ  ：滑走路平面上                    １Ｂ  ：フレームカバー
１Ｃ  ：滑走路側壁                      １Ｄ  ：滑走路手摺柵
１Ｅ  ：手摺トップ                      １Ｆ  ：個々的の半周立体曲面状
１Ｇ  ：凸型全周立体曲面状              １Ｈ  ：凹型全周立体曲面状
１Ｉ  ：階段型曲面状                    １Ｊ  ：凸型縦長全周立体曲面状
１ａ  ：滑走路減速域                    １ｂ  ：滑走路側壁・手摺柵を省略／透視
２１  ：滑走路表面上が平面上            ２２  ：滑走路表面上が平面上
２３  ：滑走路表面上が凹型曲面上        ２４  ：滑走路表面上が凹凸曲面状曲面上
２Ａ  ：全体的連続の半周立体曲面状      ２Ｂ  ：大小凸型全周立体曲面状
２Ｃ  ：凹型全周立体曲面状              ２Ｄ  ：階段型曲面状
２Ｅ  ：変形凹型曲面状                  ２Ｆ  ：変形凹型曲面状（回転系）
２Ｇ  ：変形凸型曲面状                  ２Ｈ  ：変形凸型曲面状（回転系）
２Ｉ  ：ウエーブ型曲面状                ２ａ  ：滑走路減速域
３１  ：部分的周立体曲面状              ３２  ：全体的連続の半周立体曲面状
３３  ：凸型全周立体曲面状              ３４  ：変形凸型曲面状
３５  ：凹型全周立体曲面状              ３６  ：変形凹型曲面状
３７  ：変形凸型曲面状                  ３８  ：変形凹型曲面状
３９  ：凹凸型曲面状                    ３Ａ  ：全体的連続の１／４周立体曲面状
３Ｂ  ：凸型全周立体曲面状              ３Ｃ  ：凹型半周立体曲面状
３Ｄ  ：凸型曲面状                      ３Ｅ  ：変形凸型曲面状（中）
３Ｆ  ：変形凸型曲面状（小）            ３Ｇ  ：変形凸型曲面状（大）
３Ｈ  ：凹型曲面状                      ３Ｉ  ：半周立体曲面状
３Ｊ  ：１／４周立体曲面状              ３Ｋ  ：２／３周立体曲面状
３Ｌ  ：凹型全周立体曲面状（大）        ３Ｍ  ：凹型全周立体曲面状（小）
３Ｎ  ：階段型曲面状                    ３０  ：ウエーブ型曲面状
３ａ  ：３２の断面図                    ３ｂ  ：３３の断面図
３ｃ  ：３５の断面図                    ３ｄ  ：３７の断面図
３ｅ  ：３７の断面図                    ３ｆ  ：３７の断面図
３ｇ  ：３７の断面図                    ３ｈ  ：３８の断面図
３ｉ  ：滑走路表面上が凹型曲面上時調整
４１  ：半周立体曲面状                  ４２  ：凸型全周立体曲面状
４３  ：凹型全周立体曲面状              ４４  ：半周立体曲面状
４Ａ  ：半周立体曲面状                  ４Ｂ  ：凸型全周立体曲面状
４Ｃ  ：凸型全周立体曲面状              ４Ｄ  ：凹型全周立体曲面状
４Ｅ  ：各凹凸曲面状の接合端部          ４ａ  ：４１の断面図
４ｂ  ：４１の断面図                    ４ｃ  ：４２の断面図
４ｄ  ：４３の断面図                    ４ｅ  ：滑走路表面上が凹型曲面上時調整
５１  ：各滑走路表面上を単立体滑り台    ５２  ：滑走路表面上を複数で並列別設置
５３  ：滑走路表面上を分岐別設置        ５４  ：滑走斜面上の傾きを可変設置
５５  ：各滑走路表面上を直列合成設置    ５Ａ  ：滑走路表面上が平面上
５Ｂ  ：滑走路表面上が凹型曲面上        ５Ｃ  ：滑走路表面上が凹凸曲面状曲面上
５Ｄ  ：各滑走路の仕切り壁              ５Ｅ  ：滑走路表面上が平面上
５Ｆ  ：滑走路表面上が凹型曲面上        ５Ｇ  ：滑走路表面上が凹凸曲面状曲面上
５Ｈ  ：滑走路斜度変化点（各上下斜度）  ５Ｉ  ：滑走路裏面側の梁
５Ｊ  ：滑走路表面上が平面上            ５Ｋ  ：滑走路表面上が凹型曲面上
５Ｌ  ：滑走路表面上が凹凸曲面状曲面上  ５Ｍ  ：滑走面上と曲面上の合成部
【要約】
【課題】  従来のような滑り台の遊具では、形状、構造、機能などに大きな変化がなく、マンネリズムの傾向にあり、プレーヤーの運動への魅力や期待度の希薄、運動形態に対応する運動能力や運動感覚などのスキルアップやモチベーションの停滞、又、プレーヤーのチャレンジ的要素や満足度の低下に対する滑り台へのニーズが生じているのが現状であるという不都合を解決すること。
【解決手段】  滑り台の滑走路表面上において、平面上に凸の曲面状、凹の曲面状、凹凸の曲面状を凹の曲面上に凸の曲面状、凹凸の曲面状、更には、平面上、凹の面上以外に全面上が凹凸の曲面状などの配置したものを滑走斜面に設け、前記の凸の曲面状、凹の曲面状、凹凸の曲面状が規則的、又は不規則的で多彩な三次元構造の設備を有することにより、この課題を解決する。
【選択図】図１【図１】
0005825567.tif 000002
【図２】
0005825567.tif 000003
【図３】
0005825567.tif 000004
【図４】
0005825567.tif 000005
【図５】
0005825567.tif 000006